(57)【特許請求の範囲】
【請求項１】
下部に洗浄水が貯水される貯水槽を有する洗浄槽、前記貯水槽に設置され洗浄水を加熱するヒータ、前記洗浄槽内に設けられた洗浄水を噴射する噴射ノズル、該噴射ノズルに洗浄水を圧送する洗浄ポンプ、および前記ヒータ等を制御し洗浄槽内の食器類を洗浄、乾燥する制御部が設けられた本体と、食器類を収容し前記洗浄槽内に収納される食器かごを備えてなり、
該食器かごを、底部および脚部を形成し食器類の載置部を構成する底かんと、該底かんに固着され、側部を形成しまた食器類の載置部を深底載置部と浅底載置部とに仕切る一対の支持かんと、前記底かんに所望間隔を隔てて固着され食器類の配置位置を示しかつ食器類を保持する複数の仕切かんと、コップ載置部を有し前記一対の支持かんに前記深底載置部に載置された食器類を避けて回動可能に取付けられた門形の上部かんとによって構成し、
前記食器かごの門形の上部かんに形成されたコップ載置部を、該門形の上部かんの幅方向に平行に固着された３本の保持かんにより構成し、該３本の保持かんを、コップの外側面を対向するように保持する第１および第２の保持かんと、該第１および第２の保持かんの間に位置しコップの内側に入り込むように折曲げられた折曲げ部によりコップの内側面を保持する第３の保持かんとで形成したことを特徴とする食器洗浄機。
【発明の詳細な説明】
【０００１】
【発明の属する技術分野】
本発明は、洗浄槽内に収容された食器類に洗浄水を噴射して洗浄し、温風により食器類を乾燥する食器洗浄機に係り、さらに詳しくは、洗浄および乾燥される食器類を収容する食器かごの構造に関するものである。
【０００２】
【従来の技術】
洗浄槽内に食器類を収容した食器かごを収納し、食器類に洗浄水を噴射して洗浄する食器洗浄機の一例として実開平３−１２８０５８号公報に開示された考案があり、図６および図７にそれを示す。
【０００３】
図において、３１は食器洗浄機の本体、３２は側断面形状がＬ字状の本体ケース、３３ａ，３３ｂは側面板（３３ｂは図示せず）、３４は天板、３５は底板、３６は本体ケース３２の立設部に設けられた端面板であり、本体ケース３２、両側面板３３ａ，３３ｂ、天板３４、底板３５および端面板３６によって本体３１を構成するとともに、奥行き方向に長い長方体の洗浄槽３８を形成している。３７は本体３１の開口部に開閉可能に設けられた扉、３９は洗浄槽３８の下部に設けられ、両側面板３３ａ，３３ｂ、端面板３６および扉３７に沿って形成された集水溝である。４０は集水溝３９内に設置されたヒータ、４１ａ，４１ｂは両側面板３３ａ，３３ｂに沿って設けられたガイドレールで、後述する食器かごがスライド可能に載置される（４１ｂは図示せず）。
【０００４】
４２は底板３５と食器かごの底面との間に配置されたプロペラ形状の主回転ノズル、４４は端面板３６に設けられたプロペラ形状の副回転ノズルで、両回転ノズル４２，４４には複数の噴射口４３，４５が設けられており、そのうち一端部に設けられた噴射口４３，４５は洗浄水の噴射角度に傾斜を持たせてあり、噴射口４３，４５から噴射される洗浄水の噴射圧力の反力によって主回転ノズル４２および副回転ノズル４４を回転させる構成となっている。４６は主回転ノズル４２に接続された主給水パイプ、４７は主給水パイプ４６から分岐して副回転ノズル４４に接続された副給水パイプ、４８はモータ４９により駆動される洗浄ポンプで、主給水パイプ４６およびフィルタ室５０を介して集水溝３９と給水路５１に接続されている。
【０００５】
５２は合成樹脂でコーティングした金属線により構成された食器かごである。食器かご５２は、第１枠杆５２ａ、第２枠杆５２ｂ、第３枠杆５２ｃが下から順に所望の間隔をおいて配置され、食器かご５２の底面を形成する底杆５２ｄが所望数縦横に配置されて第１枠杆５２ａのみ固着されており、食器かご５２の側面を形成する側杆５２ｅが所望数第１枠杆５２ａ、第２枠杆５２ｂおよび第３枠杆５２ｃに固着されている。また、食器かご５２の長手方向の一側に下部茶碗載せ部５２ｆ，５２ｇが形成されており、これの直上に上部茶碗載せ部５２ｈ，５２ｉが設けられている。なお、これらの両茶碗載せ部５２ｆ，５２ｇ，５２ｈ，５２ｉは茶碗の碗径より大きな例えばどんぶりも載置できるように工夫されている。また、これらの茶碗載せ部５２ｆ，５２ｇ，５２ｈ，５２ｉは副回転ノズル４４に対向させ、茶碗またはどんぶりの内面側が洗浄水の噴射を受けれるように構成されている。
【０００６】
このように構成された食器洗浄機で食器類を洗浄する場合、まず、食器かご５２の食器載置部に皿などの食器類（図示せず）を収容する。特に茶碗等の深底食器は下部茶碗載せ部５２ｆ，５２ｇおよび上部茶碗載せ部５２ｈ，５２ｉに収容する。次に扉３７を開けて食器かご５２をガイドレール４１ａ，４１ｂに載置してスライドさせ、洗浄槽３８内に収納する。この時、食器かご５２は両茶碗載せ部５２ｆ，５２ｇ，５２ｈ，５２ｉ側が副回転ノズル４４に対向するように収納される。
【０００７】
次に、給水弁（図示せず）を開いて洗浄水を集水溝３９に所定量供給し、モータ４９に通電して洗浄ポンプ４８を駆動すると、集水溝３９に貯水された洗浄水は給水路５１を経て主給水パイプ４６および副給水パイプ４７から主回転ノズル４２および副回転ノズル４４に圧送され、それぞれの噴射口４３，４５から噴射される。同時に両回転ノズル４２，４４はそれぞれの一端部に設けた噴射口４３，４５から噴射される洗浄水の噴射圧力の反力によって回転する。そして、噴射された洗浄水は集水溝３９に集められてフィルタ室５０を経て再び洗浄ポンプ４８に送られ、両回転ノズル４２，４４に圧送されて噴射される。この循環を繰り返して食器類を洗浄する。
【０００８】
洗浄の所望時間が経過した後、モータ４９の通電を止めて洗浄ポンプ４８を停止させ、排水弁（図示せず）を開いて汚れた洗浄水を本体３１外へ排出する。そして、再び洗浄水を集水溝３９に供給して上述の洗浄工程を行い、この工程を所望回数繰り返してすすぎ工程を行う。すすぎ工程終了後、洗浄水を排水してヒータ４０に通電し、温風による食器類および洗浄槽３８内の乾燥を行う。所望時間経過後、ヒータ４０への通電を止めて乾燥工程を終了する。
【０００９】
【発明が解決しようとする課題】
上記のような従来の食器洗浄機は、洗浄槽３８内にプロペラ形状の主回転ノズル４２および副回転ノズル４４が配設されているため本体３１全体が大型となり、これに伴って洗浄槽３８の内容積も大きくなって多くの食器類が収容される。しかしながら、本体３１が大型であるため、食器洗浄機の設置場所の限定または使い勝手等の問題が生じていた。そこで、本体３１を小型化することが望ましいが、洗浄槽３８の内容積も小さくなり、従来の食器洗浄機の食器かご５２では洗浄槽３８内に収納することができず、また食器類を雑然と収容していたために多くの食器類を収容することができないなど、多量の食器類を十分に洗浄することができなかった。また、食器かご５２はコップなどの食器類を載置する場所が無く、皿を載置する場所にコップを下向きに載置していたので、底面が凹んでいるコップの場合には凹み部分に水が溜まって十分に乾燥することができず、乾燥ムラが生じるなどの問題があった。
【００１０】
本発明は、上記のような課題を解決するためになされたもので、小型化された本体の洗浄槽内に多種多量の食器類を収容することができ、かつ十分な食器類の洗浄および乾燥を行うことのできる食器かごを備えた食器洗浄機を提供することを目的としたものである。
【００１１】
本発明に係る食器洗浄機は、下部に洗浄水が貯水される貯水槽を有する洗浄槽、前記貯水槽に設置され洗浄水を加熱するヒータ、前記洗浄槽内に設けられた洗浄水を噴射する噴射ノズル、該噴射ノズルに洗浄水を圧送する洗浄ポンプ、および前記ヒータ等を制御し洗浄槽内の食器類を洗浄、乾燥する制御部が設けられた本体と、食器類を収容し前記洗浄槽内に収納される食器かごを備えてなり、該食器かごを、底部および脚部を形成し食器類の載置部を構成する底かんと、該底かんに固着され、側部を形成しまた食器類の載置部を深底載置部と浅底載置部とに仕切る一対の支持かんと、前記底かんに所望間隔を隔てて固着され食器類の配置位置を示しかつ食器類を保持する複数の仕切かんと、コップ載置部を有し前記一対の支持かんに前記深底載置部に載置された食器類を避けて回動可能に取付けられた門形の上部かんとによって構成し、前記食器かごの門形の上部かんに形成されたコップ載置部を、該門形の上部かんの幅方向に平行に固着された３本の保持かんにより構成し、該３本の保持かんを、コップの外側面を対向するように保持する第１および第２の保持かんと、該第１および第２の保持かんの間に位置しコップの内側に入り込むように折曲げられた折曲げ部によりコップの内側面を保持する第３の保持かんとで形成したものである。
【００１３】
【発明の実施の形態】
図１は本発明の実施形態の分解して示した模式図、図２は本発明の実施形態に係る食器かごの側面図である。図において、１は前面上方が開口された食器洗浄機の本体、２ａ，２ｂは本体１の開口部に開閉可能に装着された第１および第２の扉、３ａ，３ｂは側壁（３ｂは図示せず）、４は背壁、５は天井壁、６は下部に洗浄水が貯水される貯水槽（図示せず）を有し、第１、第２の扉２ａ，２ｂ、側壁３ａ，３ｂ、背壁４および天井壁５によって形成された洗浄槽である。そして、洗浄槽６の貯水槽には洗浄水を加熱昇温し、また洗浄槽内の空気を加温するヒータが設けられ、洗浄槽６の下部には洗浄水を後述する給水管に圧送する洗浄ポンプ、洗浄ポンプを駆動するモータ、およびヒータ等を制御し食器類を洗浄、乾燥させる制御部が配設されており、貯水槽の上部には貯水槽を覆うようにフィルタ７が設置されている。なお、ヒータ、洗浄ポンプ、モータおよび制御部は図示されていない。また、本体１の前面の第２の扉２ｂの下部には電源スイッチ９を含む操作部８が設けられている。
【００１４】
１０は貯水槽に連通しフィルタ７の上部に配設された第１の給水管で、洗浄水を噴射する複数の噴射口１１ａを有する半球状の第１の噴射ノズル１１が複数個設けられている。１２は貯水槽に連通し洗浄槽６の側壁３ａ外側に沿って設けられた第２の給水管（図示せず）の先端部に設けられた半球状の第２の噴射ノズルで、複数の噴射口１２ａが設けられている。
【００１５】
１３は第１の給水管１０および第１の噴射ノズル１１に跨がるようにフィルタ７上に載置され洗浄槽６内に収納される食器かごで、合成樹脂成形または錆発生防止処理が施された金属線によって構成されている。この食器かご１３は、底部および脚部を形成し食器類の載置部１４を構成する底杆１３ａと、底杆１３ａに固着され、側部を形成しまた食器類の載置部１４を例えば茶碗、どんぶりなどのように比較的底が深く外径形状の小さい深底食器が載置される深底載置部１４ａと例えば大皿のように比較的底が浅く外径形状の大きい浅底食器が載置される浅底載置部１４ｂとに仕切り、さらに後述する上部杆を支持する一対の支持杆１３ｂと、底杆１３ａに所望間隔を隔てて固着され食器類の配置位置を示しかつ食器類を保持する複数の仕切杆１３ｃと、コップ、湯のみ等（以下、コップという）のコップ載置部１４ｃを有し、一対の支持杆１３ｂに取付けられた部分（図２のＡ）を支点に深底載置部１４ａに載置された深底食器を避けて図２の矢印Ｘ方向に回動可能な門形の上部杆１３ｄとから構成されている。なお、上部杆１３ｄのコップ載置部１４ｃは、図２および図３に示すように、門形の上部杆１３ｄの幅方向に平行に固着された３本の保持杆１５ａ，１５ｂ，１５ｃとによって構成されており、３本の保持杆１５ａ，１５ｂ，１５ｃは、コップ１７ｃの外側面を対向するように保持する第１および第２の保持杆１５ａ，１５ｂと、第１および第２の保持杆１５ａ，１５ｂの間に位置しコップ１７ｃの内側に入り込むように折曲げられた折曲げ部１５ｄによりコップの内側面を保持する第３の保持杆１５ｃとで形成されている。また、浅底載置部１４ｂの前方には、図１に示すように、底杆１３ａによって構成されたコップ１７ｃが斜めに傾くように載置されるコップ載置部１４ｄが形成されている。１６ａ，１６ｂは側壁３ａに取付けられる例えば箸やスプーンなどの小物を収容する小物かごである。
【００１６】
次に、この実施形態の作用を説明する。まず、第２の扉２ｂに設けた開閉レバー２ｃを操作し、図１に示すように、第１および第２の扉２ａ，２ｂをそれぞれ外側に回動して本体１の開口部を開放する。ついで、本体１の洗浄槽６に設けられたフィルタ７上に食器かご１３を載置して洗浄槽６内に収納するとともに、小物かご１６ａ，１６ｂを側壁３ａ上方に取付ける。次に、小物かご１６ａ，１６ｂ内に箸等の小物を収容した後、食器かご１３の上部杆１３ｄを上方に回動して深底載置部１４ａの上部を開放し、図４に示すように、茶碗などの深底食器１７ａをその汚れ面（内面）が第２の噴射ノズル１２側に向くように食器かご１３の各仕切杆１３ｃの間に挿入して深底載置部１４ａに載置する。ついで、上部杆１３ｄを下方に回動して所定の位置に戻し、図５に示すように、汚れ面が第２の噴射ノズル１２側に向くように大皿などの浅底食器１７ｂを各仕切杆１３ｃの間に挿入して浅底載置部１４ｂに載置し、コップ載置部１４ｃ，１４ｄにコップ１７ｃを逆さにして載置する。この時、コップ載置部１４ｃに載置されるコップ１７ｃは、図２および図３に示すように、その端部Ｂが第２の保持杆１５ｂに係止されるとともに、コップ１７ｃの外側面が第１および第２の保持杆１５ａ，１５ｂによって保持され、コップ１７ｃの内側面がコップ１７ｃの内側に入り込んだ第３の保持杆１５ｃの折曲げ部１５ｄによって保持されて、コップ１７ｃが斜めに傾くように収容される。
【００１７】
次に、洗浄槽６内に専用洗剤を投入した後、第１および第２の扉２ａ，２ｂを内側に回動して開閉レバー２ｃで両者２ａ，２ｂをロックし、本体１の開口部を閉塞する。ついで、外部から本体１の貯水槽内に洗浄水を供給し、操作部８の電源スイッチ９を入れてスタートスイッチを操作すると、本体１に設けられた制御部は貯水槽内に設けたヒータへの通電を開始し、洗浄水を所望温度に加熱する。そして、モータに通電して洗浄ポンプを駆動させると、洗浄ポンプは貯水槽内の洗浄水を第１の給水管１０および第２の給水管に圧送し、第１および第２の噴射ノズル１１，１２の噴射口１１ａ，１２ａから洗浄槽６内に洗浄水が噴射して、食器かご１３に収容された食器類１７ａ，１７ｂ，１７ｃを洗浄する。ついで、洗浄水は貯水槽に戻って再び洗浄ポンプで圧送され、第１および第２の噴射ノズル１１，１２から食器類１７ａ，１７ｂ，１７ｃに噴射される。これを所望時間繰り返し行い、食器類１７ａ，１７ｂ，１７ｃを洗浄する。
【００１８】
洗浄終了後、貯水槽内の汚れた洗浄水を本体１の外部に排水し、新たな洗浄水を貯水槽に供給する。そして、上述した洗浄工程と同じ工程を所望時間繰り返し行って食器類１７ａ，１７ｂ，１７ｃをすすぐ。
【００１９】
すすぎ終了後、再び貯水槽内の洗浄水を本体１の外部に排水し、ヒータによる洗浄槽６内の空気加熱を開始し、食器類１７ａ，１７ｂ，１７ｃおよび洗浄槽６を乾燥させる。この時、図２に示すように、底面Ｃが凹んでそこに水滴が溜まりやすいコップ１７ｃを乾燥する場合でも、コップ１７ｃは食器かご１３の第１、第２および第３の保持杆１５ａ，１５ｂ，１５ｃ等によってコップ載置部１４ｃ，１４ｄに斜めに傾くように収容されているので、底面Ｃに水滴が溜まらず確実に乾燥される。そして、所望時間が経過するとヒータへの通電が停止され、乾燥は終了する。
【００２０】
このように、洗浄槽６内に半球状の第１および第２の噴射ノズル１１，１２が配設されたことによって本体１全体が小型化され、設置場所を選ばず使い勝手の良い食器洗浄機が得られる。そして、この食器洗浄機における洗浄槽６内に収納される食器かご１３は、内容積が小さくなった洗浄槽６に対応してコンパクトに構成され、かつ食器類の載置部１４はコップ１７ｃを載置するコップ載置部１４ｃ，１４ｄを有し、深底載置部１４ａと浅底載置部１４ｂとに区別されているので、種類の異なる食器類をそれぞれ一か所に集中載置できるとともに、食器かご１３の複数の仕切杆１３ｃの間に挿入することによって整然と収容することができ、多種多量の食器類を洗浄することができる。これにより、食器類の収容性および洗浄性を向上することができる。また、食器かご１３のコップ載置部１４ｃ，１４ｄはコップ１７ｃを斜めに傾くように収容することができるので、コップ１７ｃの底面Ｃに水を溜めにくくし、乾燥ムラの無い乾燥を行うことができる。
【００２１】
【発明の効果】
以上のように本発明に係る食器洗浄機は、下部に洗浄水が貯水される貯水槽を有する洗浄槽、貯水槽に設置され洗浄水を加熱するヒータ、洗浄槽内に設けられ洗浄水を噴射する噴射ノズル、噴射ノズルに洗浄水を圧送する洗浄ポンプ、およびヒータ等を制御し洗浄槽内の食器類を洗浄、乾燥する制御部が設けられた本体と、食器類を収容し洗浄槽内に収納される食器かごを備えてなり、食器かごを、底部および脚部を形成し食器類の載置部を構成する底杆と、底杆に固着され、側部を形成しまた食器類の載置部を深底載置部と浅底載置部とに仕切る一対の支持杆と、底杆に所望間隔を隔てて固着され食器類の配置位置を示しかつ食器類を保持する複数の仕切杆と、コップ載置部を有し一対の支持杆に深底載置部に載置された食器類を避けて回動可能に取付けられた門形の上部杆とにより構成したので、食器かごの全体構造が小さくなり、種類の異なる食器類をそれぞれ一か所に集中載置して整然と収容することができ、食器類の収容性および洗浄性を向上することができる。
【００２２】
また、本発明に係る食器洗浄機は、食器かごの門形の上部杆に形成されたコップ載置部を、門形の上部杆の幅方向に平行に固着された３本の保持杆により構成し、この３本の保持杆を、コップの外側面に対向するように保持する第１および第２の保持杆と、第１および第２の保持杆の間に位置しコップの内側に入り込むように折曲げられた折曲げ部によりコップの内側面を保持する第３の保持杆とで形成したので、コップ類を斜めに傾くように収容することができ、乾燥ムラの無い優れた乾燥効果を得ることができる。
【図面の簡単な説明】
【図１】本発明の実施形態の分解して示した模式図である。
【図２】本発明の実施形態に係る食器かごの側面図である。
【図３】図２の要部の作用を示す拡大図である。
【図４】本発明の実施形態に係る食器かごの作用説明図である。
【図５】本発明の実施形態に係る食器かごの作用説明図である。
【図６】従来の食器洗浄機の断面図である。
【図７】従来の食器洗浄機の食器かごの斜視図である。
【符号の説明】
１  本体、６  洗浄槽、１１  第１の噴射ノズル、１２  第２の噴射ノズル、１３  食器かご、１３ａ  底杆、１３ｂ  支持杆、１３ｃ  仕切杆、１３ｄ  上部杆、１４，１４ｃ，１４ｄ  載置部、１４ａ  深底載置部、１４ｂ  浅底載置部、１５ａ  第１の保持杆、１５ｂ  第２の保持杆、１５ｃ  第３の保持杆。
【図１】
0003629624.tif 000002
【図２】
0003629624.tif 000003
【図３】
0003629624.tif 000004
【図４】
0003629624.tif 000005
【図５】
0003629624.tif 000006
【図６】
0003629624.tif 000007
【図７】
0003629624.tif 000008